(57)【要約】  【課題】防止シール施工時における目地へのシール材の充填を容易に且つ欠陥なく的確に行なえ、視認性が向上したハニカムパネルの防水構造を提供する。  【解決手段】目地３を含むハニカムパネル１、２と、前記ハニカムパネルの目地に係わる部位に取り付けた一対のファスナー４、５と、該ファスナーを支持する躯体７と、前記ハニカムパネルの目地３に充填されたシール材３１とからなるハニカムパネル支持部の防水構造において、前記一対のファスナー４、５を、目地３を挟み、かつ目地３の上部及び左右に空間を設ける形状にして、目地から離して配設したハニカムパネル支持部の防水構造である。上記の一対のファスナーは、ハニカムパネルの枠体１１、１２に固着させた取付金具８に螺着することにより、ハニカムパネルに取り付けるのが好ましい。また、この取付金具８に螺着させるとき、取付金具のネジ穴周囲にＯ形シール材１８を介在させるのが好ましい。  【選択図】図４
2006138148.tif 000002
【特許請求の範囲】
【請求項１】
目地を含むハニカムパネルと、前記ハニカムパネルの目地に係わる部位に取り付けた一対のファスナーと、該ファスナーを支持する躯体と、前記ハニカムパネルの目地に充填されたシール材とからなるハニカムパネル支持部の防水構造において、前記一対のファスナーを、目地を挟み、かつ目地の上部及び左右に空間を設ける形状にして目地から離して配設したことを特徴とするハニカムパネル支持部の防水構造。
【請求項２】
一対のファスナーを、ハニカムパネルの枠体に固着させた取付金具に螺着させて配設したことを特徴とする請求項１記載のハニカムパネル支持部の防水構造。
【請求項３】
一対のファスナーをハニカムパネルの枠体に固着させた取付金具に螺着させるとき、取付金具のネジ穴周囲にＯ形シール材を介在させてなる請求項３記載のハニカムパネル支持部の防水構造。
【発明の詳細な説明】
【技術分野】
【０００１】
本発明は、建築物の屋根板などとして用いられるハニカムパネルの支持部、特に目地が存在する部位の支持部の防水構造に関する。
【背景技術】
【０００２】
近年、ハニカムパネルを用いて、屋根、庇（ひさし）を構成することが行われている。例えば、庇の場合には、ハニカムパネルにファスナーを取り付け、そのファスナーを、建物に固定したＨ形鋼などの躯体に支持させて庇を構成している。そして、大きな庇の場合は、複数のハニカムパネルを接合して使用するが、その際、ファスナー取付部を、ハニカムパネルを接合した部位、すなわちハニカムパネルの目地に係わる部位に設けることによって、ファスナー取付部の設置箇所数を少なくしている。
【０００３】
図５は、従来のハニカムパネル支持部の防水構造の一例の一部切り欠いた斜視図を示したものである。１０１、１０２はハニカムパネルであり、１０３は目地である。１０５、１０６はＬ字形のファスナーである。これらの一対の断面Ｌ字形のファスナー１０５、１０６の一辺を、それぞれハニカムパネル１０１、１０２に、ボルト及びナットで取り付けている。また、ファスナー１０５、１０６の他辺を、躯体たるＨ形鋼１０７にボルト及びナットで一体に固定している。このハニカムパネル支持部の構成によって、ハニカムパネル１０１、１０２はファスナー１０５、１０６を介して躯体たるＨ形鋼１０７に吊り下げられた状態で支持される。次いで、目地１０３にシール材１０４を充填して施工を完成する。
【０００４】
この従来のハニカムパネル支持部の防水構造によれば、取り付けたファスナー１０５、１０６によってハニカムパネル１０１、１０２の接合部の目地１０３に係る部位を支持するので、ファスナー取付部の設置箇所数をなるべく少なくするという要求を満たしながら、十分な防水機能を発揮できるハニカムパネル支持部の防水構造を実現することが可能となる。しかし、この場合は、ファスナー１０５、１０６がハニカムパネル１０１、１０２に密着して取り付けられているため、ファスナー１０５、１０６の下の部分の目地へのシール材１０４の充填作業が困難となり、欠陥のない的確なシール材充填が行なえず、そのため防水機能が十分発揮できない問題が生じ易い。
【０００５】
そこで、ファスナー１０５をハニカムパネル１０１に取り付けるとき、またファスナー１０６をハニカムパネル１０２に取り付けるときに、ファスナー１０５とハニカムパネル１０１との間、及びファスナー１０６とハニカムパネル１０２との間に、適宜の厚さのスペーサーと、該スペーサーのファスナー側に位置させた板材とを介在させることによって、目地１０３の上部に、スペーサーの厚みに基づく隙間を設け、シール材１０４の充填作業を行い易くし、また施工の状態を目視できるようにしたハニカムパネル支持部の防水構造が提案されている（特許文献１）。
【特許文献１】特開２００２−２４２３２３号公報
【発明の開示】
【発明が解決しようとする課題】
【０００６】
本発明は、目地を含むハニカムパネルと、前記ハニカムパネルの目地に係わる部位に取り付けた一対のファスナーと、該ファスナーを支持する躯体と、前記ハニカムパネルの目地に充填されたシール材とからなるハニカムパネル支持部の防水構造について、防止シール施工時における目地へのシール材の充填を容易に且つ欠陥なく的確に行なえ、視認性が向上したハニカムパネルの防水構造を提供することを目的とする。
【課題を解決するための手段】
【０００７】
すなわち、本発明は、目地を含むハニカムパネルと、前記ハニカムパネルの目地に係わる部位に取り付けた一対のファスナーと、該ファスナーを支持する躯体と、前記ハニカムパネルの目地に充填されたシール材とからなるハニカムパネル支持部の防水構造において、前記一対のファスナーを、目地を挟み、かつ目地の上部及び左右に空間を設ける形状にして目地から離して配設したことを特徴とするハニカムパネル支持部の防水構造である。この発明において、一対のファスナーは、ハニカムパネルの枠体に固着させた取付金具に螺着することにより、ハニカムパネルに取り付けるのが好ましい。また、この取付金具に螺着させるとき、取付金具のネジ穴周囲にＯ形シール材を介在させるのが好ましい。
【発明の効果】
【０００８】
本発明のハニカムパネルの防水構造は、パネルを支持するための一対のファスナーを、目地を挟み、かつ目地の上部及び左右に空間を設ける形状にして目地から離して配設したので、すなわち、一対のファスナーの形状を目地を挟んで配設したとき目地の上部に空間ができる形状にし、また一対のファスナーを目地から離して取り付けたので、目地の周辺に空間が存在し、ファスナー取付部の目地が目視でき、またシール材充填具の先端を円滑に目地に接触できるため、目地へのシール材の充填を容易に且つ欠陥なく的確に行なうことができ、視認によって防水の完全化を図ることができる。また、シール材が劣化して漏水などが発生した場合も、パネル支持部を解体することなく、シール材の交換を簡単に行なうことができる。
【発明を実施するための最良の形態】
【０００９】
図１は、本発明のハニカムパネルで庇を設置するときのハニカムパネル支持部の防水構造の一例を示した斜視図である。１、２はハニカムパネルであり、３はハニカムパネル１とハニカムパネル２との接合部に形成された目地である。４、５はハニカムパネルに取り付けた一対のファスナーである。６は一対のファスナーを固定するための吊りプレートである。吊りプレート６は躯体７のＨ形鋼に溶接されている。躯体７は建築物に固定されている。また、１１はハニカムパネル１の端部の枠体であり、１２はハニカムパネル２の端部の枠体である。１３，１４、及び１５，１６は、それぞれハニカムパネル１及びハニカムパネル２の天板である。
【００１０】
図２は、本発明で用いるファスナー４の一例を示した斜視図である。４１は鋼板であり、４２はファスナー４の一端で、ハニカムパネルに固定する固定部であり、４３はファスナー４の他端で、吊りプレート６に固定する固定部であって、これらは溶接等により一体になっている。鋼板４１の内側には切り込み部４４が形成されている。図示しないが、ファスナー５も同様の形状である。この一対のファスナー４、５を、目地３を挟んでハニカムパネル１、２に取り付けたとき、ファスナー４の切り込み部４４及びファスナー５の切り込み部の存在により、目地の上部に空間が生じる。
【００１１】
図１において、ファスナー４の一端をハニカムパネル１にボルト及びナットで固着してファスナー取付部を設ける。この際ファスナー４は目地３から離して固着する。同様にファスナー５の一端を、ハニカムパネル２に、目地３から離してボルト及びナットで固着してファスナー取付部を設ける。ファスナー４とファスナー５とは目地３を挟んで左右対称の位置に取り付ける。次いで、ファスナー４の他端とファスナー５の他端とで吊りプレート６を挟み、ボルト及びナットで吊りプレート６に固定する。この構造によって、ハニカムパネル１、２の目地３に係わる部位は、ファスナー４、５を介して吊りプレート６、ひいては躯体７に支持される。このファスナー取付部をハニカムパネルの適宜箇所に設けることによって、庇を構成するハニカムパネルを、安定に堅固に躯体で支持することができる。
【００１２】
その後、目地３にシール材３１を充填する。本発明においては、ファスナー４、５に切り込み部を設けておくことによって、またファスナー４、５を目地から離してハニカムパネルに固定することによって、図１に示すように、ファスナー取付部において、目地の上部及び左右に空間が形成される。そのため、目地が目視でき、またシール材充填具の先端を円滑に目地に接触できるため、目地へのシール材の充填を容易に且つ欠陥なく的確に行なうことができる。
【００１３】
本発明では、上述のごとくファスナー４、５を目地３から離してハニカムパネル１、２に取り付けるが、このとき、ファスナー４、５と目地３との距離を十分にとると、ファスナー４、５の取付位置がハニカムパネルの端部の枠体１１、１２から外れることがある。その場合は、ファスナー４、５をハニカムパネル１、２の天板１３、１５に取り付けることになり堅固に固定することができないので、取付金具を用いる。図３はこの取付金具の一例の斜視図である。８は取付金具で、四角柱８１と四角柱８２とが板部８３で一体に繋がった形状をしている。８４、８５はファスナーを螺着により固定するためのネジ穴である。８６、８７はネジ穴８４及び８５の周囲に設けた、Ｏ形シール材（Ｏリング）を配置するための溝である。この取付金具８は、例えばアルミニウムを押出し成形するなどして作成する。また、取付金具は、ファスナーを螺着で固定するためのネジ穴を有し、且つハニカムパネルの枠体に取付け可能な形状であれば、その形状は任意である。
【００１４】
図４は、取付金具８を用いたときのハニカムパネル支持部の断面図である。まず、取付金具８をハニカムパネル１の天板１３、１４の間に挿入し、ハニカムパネル１の枠体１２に固定する。この固定は、取付金具８の板部８３の箇所をタッピングビス９で螺着する。ファスナー４の一端４２をハニカムパネル１に螺着により固着してファスナー取付部を設ける。この取付は、ボルト１０を、ファスナー４の一端４２の孔及び天板１３に穿った孔を通し、取付金具８のネジ穴８４にねじ込んで行なう。このときファスナーの一端４２とハニカムパネル１の天板１３との間に止水シート１７を介在させるのが防水上好ましい。また、螺着の際に、取付金具８のネジ穴８４の周囲に設けた溝８６にＯ形シール材１８を配置するのが好ましい。このようにすると、ハニカムパネル１の天板１３と取付金具８の螺着部との間にＯ形シール材が存在するため、螺着部分の防水の完全化を図ることができる。ファスナー５も同様にしてハニカムパネル２に取り付ける。
【００１５】
次いで、ファスナー４の他端とファスナー５の他端とを吊りプレート６にボルト及びナットで固着する。この構造によって、ハニカムパネル１、２の目地３に係わる部位は、ファスナー４、５を介して吊りプレート６、ひいては躯体７に支持される。次いで、目地３にシール材３１を充填して仕上げる。この取付金具を用いる構造によれば、ファスナー４、５がハニカムパネルの枠体１１、１２に強固に固定されるので、堅固な支持部を構成することができる。また、ファスナー取付部において、目地の上部及び左右に空間が形成されるため、目地が目視でき、またシール材充填具の先端を円滑に目地に接触でき、目地へのシール材の充填を容易に且つ欠陥なく的確に行なうことができる。
【図面の簡単な説明】
【００１６】
【図１】本発明のハニカムパネル支持部の一例の斜視図
【図２】本発明のハニカムパネル支持部のファスナーの斜視図
【図３】本発明のハニカムパネル支持部の取付金具の斜視図
【図４】本発明のハニカムパネル支持部の他の例の斜視図
【図５】従来のハニカムパネル支持部の一部切り欠いた斜視図
【符号の説明】
【００１７】
１，２  ハニカムパネル、３  目地、３１  シール材、４、５  ファスナー、６  吊りパネル、７  躯体、８  取付金具、９  タッピングビス、１０  ボルト、１７  止水シート、１８  Ｏ形シール材
【図１】
2006138148.tif 000003
【図２】
2006138148.tif 000004
【図３】
2006138148.tif 000005
【図４】
2006138148.tif 000006
【図５】
2006138148.tif 000007